(57)【要約】【課題】鋼製天井であっても容易に折り上げ天井を形成することのできる天井構造を提供する。【解決手段】高天井部２と、高天井部２よりも低位に配置された低天井部３とを備える折り上げ天井形式の天井構造１である。高天井部２は、低天井部３の上方に配置される板状の天井下地材４によってなされている。低天井部３は、天井下地材に取り付けられた上側鋼製野縁６と、上側鋼製野縁６の下方に設けられた下側鋼製野縁７と、下側鋼製野縁７を支持する支持部材（ランナー８）と、を有する。【選択図】図２
2015124522.tif 000002
【特許請求の範囲】
【請求項１】
高天井部と、前記高天井部よりも低位に配置された低天井部とを備える折り上げ天井形式の天井構造において、
前記高天井部は、前記低天井部の上方に配置される板状の天井下地材によってなされ、
前記低天井部は、
前記天井下地材に取り付けられた上側鋼製野縁と、
前記上側鋼製野縁の下方に設けられた下側鋼製野縁と、
前記下側鋼製野縁を支持する支持部材と、を有することを特徴とする天井構造。
【請求項２】
請求項１記載の天井構造において、
前記下側鋼製野縁には、対向する一対の壁間に架け渡された第一下側鋼製野縁が含まれ、
前記支持部材には、前記第一下側鋼製野縁を前記一対の壁間で支持するため、前記壁に取り付けられた第一ランナーが含まれることを特徴とする天井構造。
【請求項３】
請求項２記載の天井構造において、
前記下側鋼製野縁には、対向する一対の前記第一下側鋼製野縁に架け渡された第二下側鋼製野縁が含まれ、
前記支持部材には、前記第二下側鋼製野縁を前記一対の前記第一下側鋼製野縁で支持するため、前記第一下側鋼製野縁に取り付けられた第二ランナーが含まれることを特徴とする天井構造。
【請求項４】
請求項３記載の天井構造において、
前記第二下側鋼製野縁は、前記第一下側鋼製野縁に対してＬ字プレートを介して取り付けられていて、
前記Ｌ字プレートは、前記第一下側鋼製野縁と、前記第二下側鋼製野縁とがなす角部であって、前記Ｌ字プレートの一の外面が前記第一下側鋼製野縁に当接し、前記Ｌ字プレートの他の外面が前記第二下側鋼製野縁に当接するように配置されていることを特徴とする天井構造。
【請求項５】
請求項３又は４記載の天井構造において、
前記下側鋼製野縁が、前記第二ランナーが取り付けられた部分の近傍で係止具を介して構造材に連結されていることを特徴とする天井構造。
【発明の詳細な説明】
【技術分野】
【０００１】
本発明は、天井構造に関する。
【背景技術】
【０００２】
従来、屋内の開放感を高めることで居住性を向上させるべく折り上げ天井を採用した住宅が知られている。折り上げ天井は木材を用いて形成することが一般的である（例えば特許文献１参照）。
【先行技術文献】
【特許文献】
【０００３】
【特許文献１】特開２００３−３２１８９７号公報
【発明の概要】
【発明が解決しようとする課題】
【０００４】
ここで、鋼製天井においても折り上げ天井を適用することが望まれているが、折り上げ天井を鋼製天井の骨組みで作成するとなると、例えば下位の天井部分の内部に収まるように上位の天井部分の骨組みを加工しなければならず、どうしても複雑な構成となってしまい、困難性が高いことが実状であった。
このため、本発明の課題は、鋼製天井であっても容易に折り上げ天井を形成することのできる天井構造を提供することである。
【課題を解決するための手段】
【０００５】
請求項１記載の発明は、例えば図１〜図６に示すように、
高天井部２と、前記高天井部２よりも低位に配置された低天井部３とを備える折り上げ天井形式の天井構造１において、
前記高天井部２は、前記低天井部３の上方に配置される板状の天井下地材４によってなされ、
前記低天井部３は、
前記天井下地材４に取り付けられた上側鋼製野縁６と、
前記上側鋼製野縁６の下方に設けられた下側鋼製野縁７と、
前記下側鋼製野縁７を支持する支持部材（ランナー８）と、を有することを特徴とする天井構造。
【０００６】
請求項１記載の発明によれば、高天井部２が天井下地材４から構成され、その天井下地材４に低天井部３をなす上側鋼製野縁６が取り付けられているので、高天井部２及び低天井部３を鋼製の鋼製野縁やランナーだけで形成する場合と比しても簡素な構成にすることができ、例えば骨組みの加工を少なくすることも可能となる。したがって、鋼製天井であっても容易に折り上げ天井を形成することが可能となる。
【０００７】
請求項２記載の発明によれば、例えば図２〜図６に示すように、請求項１記載の天井構造１において、
前記下側鋼製野縁７には、対向する一対の壁１１，１２間に架け渡された第一下側鋼製野縁７１が含まれ、
前記支持部材には、前記第一下側鋼製野縁７１を前記一対の壁１１，１２間で支持するため、前記壁１１，１２に取り付けられた第一ランナー８４が含まれることを特徴としている。
【０００８】
請求項２記載の発明によれば、対向する一対の壁１１，１２間に架け渡された第一下側鋼製野縁７１が、壁１１，１２に取り付けられた第一ランナー８４で支持されているために、天井下地材４だけで支持するよりも第一下側鋼製野縁７１を安定して支持することができる。
【０００９】
請求項３記載の発明は、例えば図４〜図６に示すように、請求項２記載の天井構造１において、
前記下側鋼製野縁７には、対向する一対の前記第一下側鋼製野縁７１に架け渡された第二下側鋼製野縁７２が含まれ、
前記支持部材には、前記第二下側鋼製野縁７２を前記一対の前記第一下側鋼製野縁７１で支持するため、前記第一下側鋼製野縁７１に取り付けられた第二ランナー８５が含まれることを特徴としている。
【００１０】
請求項３記載の発明によれば、対向する第一下側鋼製野縁７１に架け渡された第二下側鋼製野縁７２が、第一下側鋼製野縁７１に取り付けられた第二ランナー８５で支持されているために、天井下地材４だけで支持するよりも第二下側鋼製野縁７２を安定して支持することができる。
【００１１】
請求項４記載の発明は、例えば図６に示すように、請求項３記載の天井構造１において、
前記第二下側鋼製野縁７２は、前記第一下側鋼製野縁７１に対してＬ字プレート１０を介して取り付けられていて、
前記Ｌ字プレート１０は、前記第一下側鋼製野縁７１と、前記第二下側鋼製野縁７２とがなす角部であって、前記Ｌ字プレート１０の一の外面９１が前記第一下側鋼製野縁７１に当接し、前記Ｌ字プレート１０の他の外面９２が前記第二下側鋼製野縁７２に当接するように配置されていることを特徴としている。
【００１２】
請求項４記載の発明によれば、第一下側鋼製野縁７１と第二下側鋼製野縁７２とがなす角部にＬ字プレート１０が配置されていて、このＬ字プレート１０によって第一下側鋼製野縁７１と第二下側鋼製野縁７２とが連結されているので、簡単な構成で第一下側鋼製野縁７１と第二下側鋼製野縁７２とを強固に補強することができる。
【００１３】
請求項５記載の発明は、例えば図２に示すように、請求項３又は４記載の天井構造１において、
前記下側鋼製野縁７が、前記第二ランナー８５が取り付けられた部分の近傍で係止具を介して構造材に連結されていることを特徴としている。
【００１４】
請求項５記載の発明によれば、下側鋼製野縁７が、第二ランナー８５の近傍で係止具２０を介して構造材（例えば吊り梁１７）に連結されているので、負荷の大きい部分を係止具２０によって構造材に連結することができる。したがって、下側鋼製野縁７をより安定して支持することができる。
【発明の効果】
【００１５】
本発明によれば、鋼製天井であっても容易に折り上げ天井を形成することが可能となる。
【図面の簡単な説明】
【００１６】
【図１】本実施形態に係る天井構造を備えた折り上げ天井の概略構成を示す斜視図である。
【図２】図１の折り上げ天井を模式的に示す下面視図である。
【図３】図１の折り上げ天井における天井下地材４を示す下面視図である。
【図４】図２におけるIV-IV切断線から見た断面図である。
【図５】図２におけるV-V切断線から見た断面図である。
【図６】図１に示す高天井部の角部付近の概略構成を示す斜視図である。
【図７】本実施形態に係る高天井部及び低天井部の配置例を示す説明図である。
【発明を実施するための形態】
【００１７】
以下、図面を参照して本発明の実施の形態について説明する。本実施形態に係る天井構造は、パネル工法によって建てられた建物に採用されている。図１は本実施形態に係る天井構造を備えた折り上げ天井の概略構成を示す斜視図である。図２は図１の折り上げ天井を模式的に示す下面視図である。図３は、図１の折り上げ天井における天井下地材を示す下面視図である。図４は、図２におけるIV-IV切断線から見た断面図である。図５は、図２におけるV-V切断線から見た断面図である。なお、本実施形態においては、図１の手前側を前方とし、奥側を後方、向かって右側を右方、左側を左方とする。
【００１８】
図１〜図５に示すように、折り上げ天井形式の天井構造１は、四方を囲む壁１１，１２，１３，１４の間に設けられている。そして天井構造１は、下面視矩形状の高天井部２と、高天井部２よりも低位に配置されて高天井部２を囲む低天井部３とを壁１１，１２，１３，１４間に備えている。
【００１９】
天井構造１には、壁１１，１２，１３，１４間に、水平に配置された板状の天井下地材４が設けられている。天井下地材４は、天井裏に設けられた複数の鋼製野縁５によって支持されている。鋼製野縁５は、リップ片５ａ，５ｂの間の開口部５ｃが上方を向いているリップ溝形鋼により構成されている。鋼製野縁５は、開口部を内側に向けた断面コ字状のランナー１５によって前後の壁１１，１２に支持されている。天井下地材４は、左右の壁１２，１３に対して間隔を空けて、前後の壁１１，１２に架け渡されている。そして、天井下地材４は、高天井部２をなし、なおかつ低天井部３の上方に延在している。天井下地材４としては例えば石膏ボードなどの板材が用いられている。
【００２０】
低天井部３は、上側鋼製野縁６と、下側鋼製野縁７と、ランナー８等とによって形成されている。上側鋼製野縁６及び下側鋼製野縁７は、同形状のリップ溝形鋼であり、向きを変えて使用している。具体的には、上側鋼製野縁６は、リップ片６ａ，６ｂの間の開口部６ｃが外側を向いており、下側鋼製野縁７は、リップ片７ａ，７ｂの間の開口部７ｃが上方を向いている。これにより、上側鋼製野縁６及び下側鋼製野縁７の少なくとも一面がビスで天井下地材４，３０に固定しやすくなっている。
低天井部３の下面及び内周面は、上側鋼製野縁６及び下側鋼製野縁７に取り付けられた天井下地材３０によって覆われている。具体的には、低天井部３の下面は枠状に形成されており、低天井部３の内周面は垂直面となっている。なお、天井下地材３０においては、上述した天井下地材４と同種のものであっても、異なる種類のものであってもよい。例えば、天井下地材４は低天井部３の荷重がかかるため、天井下地材３０よりも強度の高いものとしてもよい。
【００２１】
上側鋼製野縁６は、高天井部２を囲むように配置され、天井下地材４及び鋼製野縁５に例えばビス９によって取り付けられている。上側鋼製野縁６は、開口部６ｃが外側を向くように向きを変えて使用しているため、上側鋼製野縁６の両側面がビス９を通して天井下地材４に固定されて安定する。なお、図２においては上側鋼製野縁６を想像線で図示している。
上側鋼製野縁６には、高天井部２の対向する二辺を形成する第一上側鋼製野縁６１と、対向する一対の第一上側鋼製野縁６１に架け渡されて高天井部２の他の対向する二辺を形成する第二上側鋼製野縁６２とが含まれている。
【００２２】
下側鋼製野縁７は、上側鋼製野縁６の下方で、当該上側鋼製野縁６と上下方向で平行になるように設けられている。
下側鋼製野縁７には、対向する一対の壁１１，１２間に架け渡された第一下側鋼製野縁７１と、対向する一対の第一下側鋼製野縁７１に架け渡された第二下側鋼製野縁７２とが含まれている。
【００２３】
本実施形態では、高天井部２の左右に対してそれぞれ３本ずつ第一下側鋼製野縁７１が設けられた場合を例示している。最も内側にある第一下側鋼製野縁７１は、下から見て第一上側鋼製野縁６１と同位置に配置されて、高天井部２の対向する二辺を形成している。また、最も外側にある第一下側鋼製野縁７１は、左右の壁１３，１４に隣接した位置に配置されている。
また、本実施形態では、高天井部２の前後に対してそれぞれ４本ずつ第二下側鋼製野縁７２が設けられた場合を例示している。最も内側にある第二下側鋼製野縁７２は、下から見て第二上側鋼製野縁６２と同位置に配置されて、高天井部２の他の対向する二辺を形成している。また、最も外側にある第二下側鋼製野縁７２は、前後の壁１１，１２に隣接した位置に配置されている。
【００２４】
ランナー８は、本発明に係る支持部材であり、上面部８１と、上面部８１に対して平行に設けられた下面部８２と、上面部８１及び下面部８２を連結する連結部８３とを備え、断面コ字状に形成されている。
ランナー８には、第一下側鋼製野縁７１を一対の壁１１，１２間で支持するため、壁１１，１２に取り付けられた第一ランナー８４が含まれている。第一ランナー８４は、連結部８３が壁１１，１２に当接されて固定されており、上面部８１及び下面部８２の間に第一下側鋼製野縁７１が挿入され固定されている。
また、ランナー８には、第二下側鋼製野縁７２を一対の第一下側鋼製野縁７１で支持するため、第一下側鋼製野縁７１に取り付けられた第二ランナー８５が含まれている。第二ランナー８５は、連結部８３が第一下側鋼製野縁７１に当接されて固定されており、上面部８１及び下面部８２の間に第二下側鋼製野縁７２が挿入され固定されている。
なお、本実施形態では、一つのランナー８で複数の下側鋼製野縁７１，７２を支持する構成になっているが、一つのランナー８で一つの下側鋼製野縁７１，７２を支持する構成であってもよい。
また、本発明では、下側鋼製野縁７１，７２を支持する支持部材としてランナー８を例示して説明したが、例えばＬ字状のブラケットを支持部材としてもよい。
【００２５】
図６は、高天井部２の角部付近の概略構成を示す斜視図である。
図６に示すように、第二上側鋼製野縁６２及び第二下側鋼製野縁７２は、第一上側鋼製野縁６１及び第一下側鋼製野縁７１に対してＬ字プレート１０を介して取り付けられている。
Ｌ字プレート１０は、第一上側鋼製野縁６１及び第一下側鋼製野縁７１と、第二上側鋼製野縁６２及び第二下側鋼製野縁７２とがなす角部であって、Ｌ字プレート１０の一の外面９１が第一上側鋼製野縁６１及び第一下側鋼製野縁７１に当接し、Ｌ字プレート１０の他の外面９２が第二上側鋼製野縁６２及び第二下側鋼製野縁７２に当接するように配置されている。そして、Ｌ字プレート１０は、図示しないネジにより、第一上側鋼製野縁６１及び第一下側鋼製野縁７１と、第二上側鋼製野縁６２及び第二下側鋼製野縁７２とに取り付けられている。
【００２６】
そして、図５に示すように、下側鋼製野縁７は、第二ランナー８５が取り付けられた部分の近傍、つまり直交する下側鋼製野縁７の交点近傍が、例えば吊りボルト、吊木などの係止具２０によって吊り梁１７に連結されている。下側鋼製野縁７と係止具２０とは鋼製野縁受け１６を介して取り付けられている。鋼製野縁受け１６は、一つの第一下側鋼製野縁７１にのみ取り付けられていても、複数の第一下側鋼製野縁７１に取り付けられていてもよい。
また、係止具２０が取り付けられる吊り梁としては、例えば上階の床パネル内に固定された吊り梁１７や、壁間に架設された吊り梁が挙げられる。
【００２７】
以上のように、本実施形態によれば、高天井部２が天井下地材４から構成され、その天井下地材４に低天井部３をなす上側鋼製野縁６が取り付けられているので、高天井部及び低天井部を鋼製の鋼製野縁やランナーだけで形成する場合と比しても簡素な構成にすることができる。したがって、鋼製天井であっても容易に折り上げ天井を形成することが可能となる。
【００２８】
また、対向する一対の壁１１，１２間に架け渡された第一下側鋼製野縁７１が、壁１１，１２に取り付けられた第一ランナー８４で支持されているために、天井下地材４だけで支持するよりも第一下側鋼製野縁７１を安定して支持することができる。
【００２９】
また、対向する第一下側鋼製野縁７１に架け渡された第二下側鋼製野縁７２が、第一下側鋼製野縁７１に取り付けられた第二ランナー８５で支持されているために、天井下地材４だけで支持するよりも第二下側鋼製野縁７２を安定して支持することができる。
【００３０】
また、第一下側鋼製野縁７１と第二下側鋼製野縁７２とがなす角部にＬ字プレート１０が配置されていて、このＬ字プレート１０によって第一下側鋼製野縁７１と第二下側鋼製野縁７２とが連結されているので、簡単な構成で第一下側鋼製野縁７１と第二下側鋼製野縁７２とを強固に補強することができる。
【００３１】
また、下側鋼製野縁７が、第二ランナー８５の近傍で係止具２０を介して吊り梁１７に連結されているので、負荷の大きい部分を係止具２０によって天井下地材４に連結することができる。したがって、下側鋼製野縁７をより安定して支持することができる。
【００３２】
なお、本発明は上記実施形態に限らず適宜変更可能である。
例えば、上記実施形態では、下側鋼製野縁７が例えば吊りボルトなどの係止具２０を介して吊り梁１７に連結されている場合を例示して説明したが、吊り梁１７以外の構造材に係止具が連結されていてもよい。吊り梁１７以外の構造材としては、例えば天井下地材４や、その上方にある建物躯体などが挙げられる。
また、上記実施形態では最も内側にある下側鋼製野縁７の交点付近の一箇所が係止具２０を介して吊り梁１７に連結されている場合を例示したが、これに加えて下側鋼製野縁７の交点以外の少なくとも一箇所を係止具２０によって吊り梁１７に連結してもよい。このように吊る箇所を増やすことで、低天井部３の範囲が大きくなった場合にも安定して支持することができる。また、鋼製野縁受け１６によって下側鋼製野縁７と係止具２０とを連結しなくとも、下側鋼製野縁７に直接係止具２０を連結するようにしてもよい。
また、本実施形態では、高天井部２が鋼製野縁５によって構成されている場合を例示して説明したが、高天井部２は木材の野縁から構成されていてもよい。
また、本実施形態では、低天井部３が高天井部２を下面視ロ字状に囲んでいる場合を例示して説明したが、低天井部３と高天井部２との配置関係はこれに限定されない。
図７は、本発明に係る天井構造を適用可能な低天井部３と高天井部２との配置関係の例を示す説明図である。
図７（ａ）では、低天井部３Ａが高天井部２Ａに対して下面視コ字状に設けられた場合を示している。図７（ｂ）では、低天井部３Ｂが高天井部２Ｂに対して下面視Ｌ字状に設けられた場合を示している。図７（ｃ）では低天井部３Ｃが高天井部２Ｃの両端に設けられた場合を示している。図７（ｄ）では低天井部３Ｄが高天井部２Ｄと下面視略同形状で隣接して設けられた場合を示している。
【符号の説明】
【００３３】
１      天井構造
２      高天井部
３      低天井部
４      天井下地材
６      上側鋼製野縁
７      下側鋼製野縁
８      ランナー（支持部材）
１０      Ｌ字プレート
１１，１２，１３，１４      壁
１７      吊り梁（構造材）
２０      係止具
３０      内装材
６１      第一上側鋼製野縁
６２      第二上側鋼製野縁
７１      第一下側鋼製野縁
７２      第二下側鋼製野縁
８１      上面部
８２      下面部
８３      連結部
８４      第一ランナー
８５      第二ランナー
９１      一の外面
９２      他の外面
【図１】
2015124522.tif 000003
【図２】
2015124522.tif 000004
【図３】
2015124522.tif 000005
【図４】
2015124522.tif 000006
【図５】
2015124522.tif 000007
【図６】
2015124522.tif 000008
【図７】
2015124522.tif 000009